(57)【特許請求の範囲】
【請求項１】
単体のLPGボンベの外周壁面を覆う不燃性又は難燃性の布からなる温度上昇防止カバーであつて、縮径したボンベ肩部の外側に当接するリング部材と、拡径したボンベ胴部の外側に当接するリング部材とをリング部材と直交する方向のチェンで連結すると共に各リング部材の外側にカバーを取り付けて被せ、ボンベ肩部とボンベ胴部の外側をボンベの全周又は半周にわたり隙間を保持してカバーで覆うと共に、カバーをボンベから取り外したとき扁平な提灯状に嵩低く折り畳むことができることを特徴とするLPGボンベの温度上昇防止カバー。
【発明の詳細な説明】
【技術分野】
【０００１】
本発明はＬＰＧボンベの温度上昇防止カバーに関する。
【背景技術】
【０００２】
液化石油ガス(ＬＰＧ)の保安の確保及び取引の適正化に関する法律施行規則第１８条によれば、充てん容器は原則として屋外に容器から２メートル以内に火気を遮る措置を講じて置くこと、かつ、充てん容器等は、常に温度４０度(法定上限温度という)以下に保つこと、当該容器を置く位置から２メートル以内にある火気を遮る措置を講じることが義務付けられている。
【０００３】
ＬＰＧを効率よく気化させるためＬＰＧボンベの外周面に沿って温水ジャケトを被せて温水を循環させると共に、ＬＰＧボンベの外表面温度が４０℃に達したとき電磁バルブを自動的に閉じる公知の温度センサを内蔵した発明がある(特許文献１)。
【０００４】
建築物の外壁に沿って並列状の、むき出し状態で設置されているＬＰガス使用のイメージアップを図り、かつ、着脱が容易なアクリル変性塩化ビニル板からなるＬＰガスボンベ用カバー本体を、建築物等の外壁に取り付けた掛止め具を用いてＬＰガスボンベを被覆することを目的とする考案がある(特許文献２)。
【先行技術文献】
【特許文献】
【０００５】
【特許文献１】特開２００２−５５２１号公報
【特許文献２】登録実用新案第３００９４０３号公報
【発明の概要】
【発明が解決しようとする課題】
【０００６】
特開２００２−５５２１号公報に係る発明は、ＬＰＧボンベから供給される石油液化ガスを熱源とするＬＰガス給湯装置であり、給湯器の排ガス熱をＬＰＧ加温気化手段として用い気化効率を高めることを目的とし、温水取り入れ口からＬＰＧボンベの外周面に沿って温水を流す多数の流路を網状に設けた温水ジャケットをLＰＧボンベに被せ、温水ジャケットの一部にＬＰＧボンベの外表面温度が４０℃に達したとき温度センサの作用で電磁バルブを自動的に閉じて温水ジャケットへの温水供給を止め、かつ電磁バルブの切り替えで給湯管へ温水を排水する構造であり、高価なＬＰＧ蒸発器を不要としている。
【０００７】
而して必須の温水ジャケットを塩化ビニル等の合成樹脂やゴム材等で形成しているが、温度センサや電磁バルブ及びＬＰガス給湯器の燃焼排気ガスを取り入れる熱交換器を要する等構造が複雑となり、気温が高くなる夏季においては温水ジャケットが全く不要となる。
【０００８】
登録実用新案第３００９４０３号公報に係る考案は、ＬＰガスボンベ用カバー本体を建築物等の外壁に取り付けるための掛止め具を必要とし、外壁に沿って並列状に設置される２本一組のＬＰガスボンベを収容できる大きさのＬＰガスボンベ用カバー本体を略箱型に形成しているものであり、かつ、凹溝状の強度補強リブを高さ方向へ複数備えているためＬＰガスボンベ用カバー本体をコンパクトに折り畳むことが困難である。
【課題を解決するための手段】
【０００９】
単体のＬＰＧボンベの外周壁面を覆う不燃性又は難燃性の布からなる温度上昇防止カバーであって、縮径したボンベ肩部の外側に当接するリング部材と、拡径したボンベ胴部の外側に当接するリング部材とを、リング部材と直交する方向のチェンで連結すると共に各リング部材の外側にカバーを取り付けて被せ、ボンベ肩部とボンベ胴部の外側をボンベの全周又は半周にわたり隙間を保持してカバーで覆うと共に、カバーをボンベから取り外したとき扁平な提灯状に嵩低く畳むことができるようにし、ボンベ交換時や持ち運びを容易にするＬＰＧボンベの温度上昇防止カバーを提供することを目的とする。
【発明の効果】
【００１０】
本発明に係る温度上昇防止カバーを、単体のＬＰＧボンベの肩部と胴部の外側に当接するリング部材の外側をＬＰＧボンベの全周又は半周にわたり隙間を保持して覆っているため隙間から空気が流通することにより夏季にあっては直射日光を遮断でき、冬季にあってはＬＰガスの発生に必要な外部熱を適宜取り入れることができる。
【図面の簡単な説明】
【００１１】
【図１】プロテクター付きＬＰＧボンベを示す正面図。
【図２】ＬＰＧボンベの外周壁面を全周にわたり覆う温度上昇防止カバーを示す正面図。
【図３】同、平面図。
【図４】ＬＰＧボンベの外周壁面を半周にわたり覆う温度上昇防止カバーを示す正面図。
【図５】同、平面図。
【図６】温度上昇防止カバーの表面適所に会社名等を表示するステッカーを貼り付け、又はカバー自体に会社名等を書した状態を示す正面図。
【図７】ＬＰＧボンベの半周を覆う温度上昇防止カバーを、ボンベ上部のプロテクターの上縁に着脱自在に掛け止めするフックを用いて係止した状態を示す平面図。
【図８】同、要部切欠き正面図。
【図９】同、外観正面図。
【図１０】プロテクターを備えないＬＰＧボンベの頂面に設けられているバルブ基部の外周に当接するリング部材と、該リング部材とボンベの胴部の外周に当接するリング部材にわたり温度上昇防止カバーを取り付けた状態を示す一部切欠き正面図。
【図１１】ＬＰＧボンベの頂面に設けられているバルブ基部外周にリング部材が当接し、該リング部材とボンベの胴部の外周壁面に当接するリング部材にわたり取り付ける適当な丈長さを有する温度上昇防止カバーを示す要部切欠き正面図。
【図１２】同、平面図。
【図１３】同、斜視図。
【図１４】ボンベ肩部の外側とボンベ胴部の外側へ当接する各リング部材と直交する方向のチェンで連結し、ＬＰＧボンベの外周壁面を半周にわたり覆う温度上昇防止カバーに各リング部材を取り付けた状態を示す斜視図。
【図１５】温度上昇防止カバーを扁平な提灯状に折り重ね合わせた状態を示す正面図。
【図１６】プロテクター付き２０キログラムＬＰＧボンベの外周壁に、温度上昇防止カバーを被せた状態を示す正面図。
【図１７】プロテクターを備えない２０キログラムＬＰＧボンベを全周にわたり覆う温度上昇防止カバーに、開閉自在な縦方向のファスナー又は面ファスナーを取り付けた状態を示す正面図。
【発明を実施するための形態】
【００１２】
図１に示すプロテクター１ａ付きＬＰＧボンベ１の肩部１ｂ及び胴部１ｃにわたり、ボンベ外周壁面と隙間を保持して図２及び図３に示す温度上昇防止カバー２を被せる。温度上昇防止カバー２は、夏季において気温が高温になるためＬＰＧ充てん容器等が、常に４０度(法定上限温度)以下に保つことが義務付けられていることに対応し遮熱のため用いるものであり、ＬＰＧボンベ１の肩部１ｂ 及び胴部１ｃの外周壁面に当接するリング部材３の外側に温度上昇防止カバー２を取り付け、温度上昇防止カバー２をＬＰＧボンベ１の外周壁面と隙間を保持して全周にわたり被せる。
【００１３】
図４及び図５は温度上昇防止カバー２に「ＬＰガス」「火気厳禁」の文字を書したステッカー５を貼り付け、或いは図６に示すように温度上昇防止カバー２自体に「会社名、電話番号、火気注意」等の文字６を書した使用状態を示している。
【００１４】
図７及び図８は温度上昇防止カバー４の肩部４ａをＬＰＧボンベ１に設けているプロテクター１ａの上縁に係止するため、上部のリング部材３に起倒自在に取り付けているフック７を示し、立ち上げたフック７を互いに接近する方向へ倒すと嵩低く折り畳むことができる。８はバルブ、９は高圧ホースである。
【００１５】
図９はプロテクター１ａの上縁にフック７を用いて適当な丈長さの温度上昇防止カバー４をＬＰＧボンベ１の外周壁面にわたり被せている状態を示している。
【００１６】
図１０はプロテクターを備えない他のＬＰＧボンベ１０の頂部に設けているバルブ基部１０ｃにリング部材３を嵌めて当接させると共にＬＰＧボンベの肩部１０ａ及びボンベ胴部１０ｂにもリング部材３を嵌めて当接させ、適当な丈長さの温度上昇防止カバー２をＬＰＧボンベ１０の略外周壁全周にわたり覆っている。温度上昇防止カバー２の上縁と下縁とを二重に折り重ね端部の強度を補強している。
【００１７】
図１１及び図１２は適当な丈長さの温度上昇防止カバー２をＬＰＧボンベ１０に被せた状態を示す正面図と平面図であり、図１３は温度上昇防止カバー２斜視図である。
【００１８】
図１４はＬＰＧボンベ１の外周壁面の半周を覆う温度上昇防止カバー２であり、ボンベ肩部１ｂの外側と、ボンベ胴部１ｃの外側に嵌め当接させる各リング部材３と直交する方向のチェン１１で連結してリング部材３間の間隔を保持し、チェン１１の重量で温度上昇防止カバー２が風雨等で捲れ上がらないように且つ、温度上昇防止カバー２を扁平な提灯状に嵩低く折り畳むことができるようにしている。
【００１９】
図１５は温度上昇防止カバー２を扁平な提灯状に嵩低く折り重ね、ボンベ交換時における着脱のし易さや、持ち運びを容易にした状態を示している。
【００２０】
図１６はプロテクター付きの２０キログラムＬＰＧボンベ１２の外周壁面に丈の短い温度上昇防止カバー１３を被せた状態を示し、図１７はプロテクターを備えないＬＰＧボンベ１４のバルブ基部１４ａに、下端部を二重に折り重ね強度を補強した温度上昇防止カバー１５の上端部を嵌めて当接し、ＬＰＧボンベ１４の肩部から胴部にわたり温度上昇防止カバー１５を被せると共に、該温度上昇防止カバー１５の前面を縦方向へ二分割して双方の開口縁を開閉自在に閉じ合わせるファスナー１６を取り付けた状態を示している。ファスナー１６に替え面ファスナーを縫着することもでき、或いはホックボタンを取り付けることもでき、また図示のように温度上昇防止カバー１５をＬＰＧボンベ１４の肩部側へ巻き上げて持ち運びができる。
【産業上の利用可能性】
【００２１】
単体のＬＰＧボンベの法定上限温度である４０度を超えない簡単な構造の温度上昇カバーを用いることで有効に遮熱でき、市場性を備えている。
【符号の説明】
【００２２】
１、１０、１２・・ＬＰＧボンベ      
１ａ ・・ボンベのプロテクター    
２、４、１３、１５・・温度上昇防止カバー
３・・リング部材
５・・ステッカー
７・・フック  
１１・・チェン  
１６・・ファスナー  
【図１】
0005085633.tif 000002
【図２】
0005085633.tif 000003
【図３】
0005085633.tif 000004
【図４】
0005085633.tif 000005
【図５】
0005085633.tif 000006
【図６】
0005085633.tif 000007
【図７】
0005085633.tif 000008
【図８】
0005085633.tif 000009
【図９】
0005085633.tif 000010
【図１０】
0005085633.tif 000011
【図１１】
0005085633.tif 000012
【図１２】
0005085633.tif 000013
【図１３】
0005085633.tif 000014
【図１４】
0005085633.tif 000015
【図１５】
0005085633.tif 000016
【図１６】
0005085633.tif 000017
【図１７】
0005085633.tif 000018